(57)【要約】【課題】柱材と梁材との結合部分の強度が高い木造構造体を提供する。【解決手段】木造構造体１は、木製の角柱状であり＋Ｚ方向から見て２行２列の正方格子状に配置されている４つの柱材１１と、木製の角柱状でありＹ軸方向で隣り合う２つの柱材の間に挿入された２つの第１梁材１３と、木製の角柱状でありＸ軸方向で隣り合う２つの柱材１１の間に挿入された２つの第２梁材１５と、を備える。２つの第１梁材１３のうちの第１梁材１３Ａは、Ｚ軸方向において隣接する２つの第２梁材１５により挟持されている。２つの第２梁材１５のうちの第２梁材１５Ａは、Ｚ軸方向において隣接する２つの第１梁材１３により挟持されている。【選択図】図１
2018193782.tif 000002
【特許請求の範囲】
【請求項１】
木製の角柱状であり、鉛直方向に沿った第１方向と長手方向とが一致する姿勢で配置され、前記第１方向から見て、Ｎ行Ｍ列（Ｎ、Ｍは２以上の整数）の矩形格子状に配置されている４つ以上の柱材と、
木製の角柱状であり、前記第１方向から見たときの前記４つ以上の柱材の行方向である第２方向と長手方向とが一致する姿勢で、前記第１方向から見たときの前記４つ以上の柱材の列方向である第３方向で隣り合う２つの柱材の間に挿入された複数の第１梁材と、
木製の角柱状であり、前記第３方向と長手方向とが一致する姿勢で、前記第２方向で隣り合う２つの柱材の間に挿入された複数の第２梁材と、を備え、
前記複数の第１梁材のうちの前記第１方向における一端に位置する第１梁材を除く他の第１梁材は、前記第１方向において隣接する２つの第２梁材により挟持され、
前記複数の第２梁材のうちの前記第１方向における他端に位置する第２梁材を除く他の第２梁材は、前記第１方向において隣接する２つの第１梁材により挟持されている、
木造構造体。
【請求項２】
前記柱材と前記第１梁材とを前記第３方向に貫通し前記柱材と前記第１梁材とを結合する第１結合部材と、
前記柱材と前記第２梁材とを前記第２方向に貫通し前記柱材と前記第２梁材とを結合する第２結合部材と、を更に備える、
請求項１に記載の木造構造体。
【請求項３】
前記第１結合部材は、前記柱材と前記第１梁材とを前記第３方向に貫通する第１ボルトと、前記第１ボルトの先端部に螺着する第１ナットと、を有し、
前記第２結合部材は、前記柱材と前記第２梁材とを前記第２方向に貫通する第２ボルトと、前記第２ボルトの先端部に螺着する第２ナットと、を有する、
請求項２に記載の木造構造体。
【請求項４】
前記第１梁材と前記第２梁材とを前記第１方向に貫通し前記第１梁材と前記第２梁材とを結合する第３結合部材を更に備える、
請求項１乃至３のいずれか１項に記載の木造構造体。
【発明の詳細な説明】
【技術分野】
【０００１】
本発明は、木造構造体に関する。
【背景技術】
【０００２】
現在、木造建築物は一般家屋、神社、仏閣などの恒久的な用途に用いられている。木造建築物で用いられる柱や梁に用いられる建築材としては、その強度を保障するためにある程度の大きさの断面積を有する建築材が使用される。そして、柱と梁とは、金属のプレートにより結合されたり、特殊な結合構造を結合部分に施すことにより接合されたりしている。このため、木造建築物を建造したり解体する際に、金属プレートを取り外したり結合構造を解除したりするのに時間がかかりリユースしにくい。また、金属プレートにより柱と梁とを結合した建築物の場合、建築物の重量が重くなってしまう。
【０００３】
そこで、軽量化を図った木造の建物構造体として、直立柱体と、直立柱体と略直交する姿勢で固定される第一水平架構体と、直立柱体および第一水平架構体とに略直交する姿勢で固定される第二水平架構体と、を備え、直立柱体、第一水平架構体および第二水平架構体とが、それぞれ複数本の角材が束ねられたものである建物構造体が提案されている（例えば特許文献１参照）。第一水平架構体、第二水平架構体は、４つの角材をそれぞれの長手方向に沿った面同士を面接触させて束ねたものであり、各角材には、４本の角材を束ねたときに貫通孔が形成されるような切り欠き部が形成されている。そして、第一水平架構体または第二水平架構体の貫通孔に、直立柱体を構成する複数の角材を嵌合させる。
【０００４】
また、一本の柱と複数の第一の梁と第一の梁に直交する複数の第二の梁から構成された木造建物における軸組構造が提案されている（例えば特許文献２参照）。ここで、梁は、２つの角材から構成された合成梁であって、各角材には、嵌合凹所と嵌合凹所に連通する２つの締結板挿通孔と２つの角棒挿通孔が形成されている。
【０００５】
特許文献１に記載された建物構造体の場合、第一水平架構体または第二水平架構体を構成する複数の角材に切り欠き部を形成する必要があり、角材を加工する技術が要求される。また、複数の角材を束ねてなる第一水平架構体、第二水平架構体の貫通孔に、直立柱体を構成する複数の角材を嵌合させる作業が必要となり、建物構造体の組み立て作業に熟練を要する。また、特許文献２に記載された軸組構造の場合も、角材に切り欠き部を形成するための加工技術が要求される。
【０００６】
これに対して、１本の角材からなる第一横架材と、１本の角材からなり端面が第一横架材の側面に結合された第二横架材と、４本の角材から構成され第一横架材と第二横架材との結合部分を支持する柱材集合体と、を備える木造構造体が提案されている（例えば特許文献３参照）。ここで、柱材集合体を構成する４本の角材が、第一横架材および第二横架材を挟持するように配置されており、第一横架材および第二横架材を構成する角材と、柱材集合体を構成する角材と、がボルトで結合されている。この特許文献３に記載された構造では、角材同士がボルトで結合する簡単な作業を行うだけでよく、また、角材に対して行う加工は、ボルトを挿通させる孔を穿孔する程度の加工でよい。
【０００７】
但し、特許文献３に記載された木造構造体の場合、第一横架材と第二横架材との結合部分に、第二横架材の延長方向へ印加される力に対する十分な強度が得られない虞がある。
【０００８】
そこで、複数の角材を短手方向に積層してなり互いに直交する方向に延伸する２つの梁材を鉛直方向で重ねて配置し、柱材を２つの梁材が重なった部分に結合した構造が提案されている（例えば特許文献４参照）。また、水平方向に複数本平行に配置された第１横架材と、第１横架材の長手方向と直交する方向に沿って水平方向に複数本平行に配置された複数の第２横架材と、を重ねて配置し、第１横架材と第２横架材とが重なった部分に複数の柱材を結合した構造が提案されている（例えば特許文献５、非特許文献１参照）。
【先行技術文献】
【特許文献】
【０００９】
【特許文献１】特開２０１１−２３１５３０号公報
【特許文献２】特開２０１０−１１２０２６号公報
【特許文献３】特開２０１０−１５９５９１号公報
【特許文献４】特開２００８−１４４４５５号公報
【特許文献５】特開２０１６−１８６１６１号公報
【非特許文献】
【００１０】
【非特許文献１】「一級建築士栗田正光ののびのび良い子が育つ家」、[online]、２０１０年、株式会社ハートワークスデザインオフィス、[２０１７年５月１日検索]、インターネット＜http://kurita.eshizuoka.jp/c32717.html＞
【発明の概要】
【発明が解決しようとする課題】
【００１１】
ところで、特許文献４、５または非特許文献１に記載された構造において、梁材または横架材と柱材との結合部分に柱材に直交する方向へ印加される外力に対する強度を向上させることが要請されている。特に、地震が頻発している地域での仮設住宅への適用を考慮する場合、梁材または横架材と柱材との結合部分の強度を向上させて耐震性を高めることが課題である。
【００１２】
本発明は、上記事由に鑑みてなされたものであり、柱材と梁材との結合部分の強度が高い木造構造体を提供することを目的とする。
【課題を解決するための手段】
【００１３】
本発明に係る木造構造体は、
木製の角柱状であり、鉛直方向に沿った第１方向と長手方向とが一致する姿勢で配置され、前記第１方向から見て、Ｎ行Ｍ列（Ｎ、Ｍは２以上の整数）の矩形格子状に配置されている４つ以上の柱材と、
木製の角柱状であり、前記第１方向から見たときの前記４つ以上の柱材の行方向である第２方向と長手方向とが一致する姿勢で、前記第１方向から見たときの前記４つ以上の柱材の列方向である第３方向で隣り合う２つの柱材の間に挿入された複数の第１梁材と、
木製の角柱状であり、前記第３方向と長手方向とが一致する姿勢で、前記第２方向で隣り合う２つの柱材の間に挿入された複数の第２梁材と、を備え、
前記複数の第１梁材のうちの前記第１方向における一端に位置する第１梁材を除く他の第１梁材は、前記第１方向において隣接する２つの第２梁材により挟持され、
前記複数の第２梁材のうちの前記第１方向における他端に位置する第２梁材を除く他の第２梁材は、前記第１方向において隣接する２つの第１梁材により挟持されている。
【発明の効果】
【００１４】
本発明によれば、複数の第１梁材が、角柱状であり、第２方向と長手方向とが一致する姿勢で、第３方向で隣り合う２つの柱材の間に挿入され、複数の第２梁材が、角柱状であり、第３方向と長手方向とが一致する姿勢で、第２方向で隣り合う２つの柱材の間に挿入されている。そして、複数の第１梁材のうちの第１方向における一端に位置する第１梁材を除く他の第１梁材は、第１方向において隣接する２つの第２梁材により挟持され、複数の第２梁材のうちの第１方向における他端に位置する第２梁材を除く他の第２梁材は、第１方向において隣接する２つの第１梁材により挟持されている。これにより、第１梁材および第２梁材と柱材との結合部分に第２方向へ外力が印加されると、複数の第２梁材の角部が、それぞれそれらに重なる第１梁材に当接して食い込むことにより、外力に対する抗力が生じる。従って、この外力に対する抗力により柱材の第２方向への動きが規制されるので、第２方向へ印加される外力に対する強度が高まる。また、第１梁材および第２梁材と柱材との結合部分に第３方向へ外力が印加されると、複数の第１梁材の角部が、それぞれそれらに重なる第２梁材に当接して食い込むことにより、外力に対する抗力が生じる。従って、この外力に対する抗力により柱材の第３方向への動きが規制されるので、第３方向へ印加される外力に対する強度が高まる。
【図面の簡単な説明】
【００１５】
【図１】実施の形態に係る木造構造体の斜視図である。
【図２】（Ａ）は実施の形態に係る木造構造体を＋Ｙ方向から見た断面図であり、（Ｂ）は実施の形態に係る木造構造体を＋Ｚ方向から見た断面図である。
【図３】（Ａ）は実施の形態に係る木造構造体に−Ｚ方向への力を印加したときの様子を示す側面図であり、（Ｂ）は実施の形態に係る木造構造体に＋Ｚ方向への力を印加したときの様子を示す側面図である。
【図４】比較例に係る木造構造体の側面図である。
【図５】実施の形態に係る木造構造体と比較例に係る木造構造体についての復元力特性の評価試験の結果を示す図である。
【図６】（Ａ）は変形例に係る木造構造体を＋Ｚ方向から見た断面図であり、（Ｂ）は他の変形例に係る木造構造体を＋Ｚ方向から見た断面図である。
【図７】変形例に係る木造構造体を＋Ｙ方向から見た断面図である。
【図８】変形例に係る木造構造体を＋Ｙ方向から見た断面図である。
【発明を実施するための形態】
【００１６】
以下、本発明に係る実施の形態について図面を参照して説明する。本実施の形態に係る木造構造体は、特に、小径木から得られる断面積が比較的小さい角材により構成されても高い強度を実現できる木造構造体である。
【００１７】
図１に示すように、本実施の形態に係る木造構造体１は、４本の柱材１１と、２本の第１梁材１３と、２本の第２梁材１５と、４本の第１結合部材２３と、４本の第２結合部材２５と、を備える。なお、図１において、Ｚ軸方向が鉛直方向に一致する。柱材１１、第１梁材１３および第２梁材１５は、いずれも木製であり断面が正方形である長尺の角柱状である。柱材１１、第１梁材１３および第２梁材１５の断面の寸法は、互いに等しい。柱材１１、第１梁材１３および第２梁材１５としては、いずれも例えば断面の縦横の長さが４５ｍｍの角材を使用できる。４本の柱材１１は、それらの長手方向が鉛直方向に一致する姿勢で配置されている。４本の柱材１１は、＋Ｚ方向（第１方向）から見て、２行２列の正方格子状に配置されている。以下、Ｘ軸方向をＺ軸方向から４本の柱材１１を見たときの行方向、Ｙ軸方向をＺ軸方向から４本の柱材１１を見たときの列方向として説明する。また、柱材１１には、第１結合部材２３、第２結合部材２５を挿通させるための貫通孔（図示せず）が設けられている。貫通孔の内径は、柱材１１の断面の縦横の長さが４５ｍｍの場合例えば８ｍｍに設定される。
【００１８】
２本の第１梁材１３は、それぞれ、Ｘ軸方向（第２方向）と長手方向とが一致する姿勢で配置されている。そして、２本の第１梁材１３は、Ｙ軸方向（第３方向）で隣り合う２つの柱材１１の間に挿入されている。２本の第１梁材１３のうち＋Ｚ方向側に位置する第１梁材１３Ｂは、Ｚ軸方向において２つの第２梁材１５（１５Ａ、１５Ｂ）により挟持されている。第１梁材１３には、第１結合部材２３、第２結合部材２５を挿通させるための貫通孔（図示せず）が設けられている。貫通孔の内径は、第１梁材１３の断面の縦横の長さが４５ｍｍの場合例えば８ｍｍに設定される。
【００１９】
２本の第２梁材１５は、Ｙ軸方向と長手方向とが一致する姿勢で配置されている。そして、２本の第２梁材１５は、Ｘ軸方向で隣り合う２つの柱材１１の間に挿入されている。２本の第２梁材１５のうち−Ｚ方向側に位置する第２梁材１５Ａは、Ｚ軸方向において２つの第１梁材１３（１３Ａ、１３Ｂ）により挟持されている。そして、２本の第１梁材１３と２本の第２梁材１５とは、図２（Ａ）に示すように、Ｚ軸方向に交互に重なるように配置されている。第２梁材１５には、第１結合部材２３、第２結合部材２５を挿通させるための貫通孔（図示せず）が設けられている。貫通孔の内径は、第２梁材１５の断面の縦横の長さが４５ｍｍの場合例えば８ｍｍに設定される。
【００２０】
第１結合部材２３は、図２（Ｂ）に示すように、柱材１１と第１梁材１３とを結合しており、柱材１１および第１梁材１３をＹ軸方向に貫通する金属製の第１ボルト２３ａと、第１ボルト２３ａの軸部に螺着された金属製の第１ナット２３ｂと、を有する。第１ボルト２３ａは、柱材１１および第１梁材１３それぞれに設けられた貫通孔が互いに連通するように柱材１１および第１梁材１３が配置された状態で各貫通孔に挿通される。そして、第１ボルト２３ａの軸部に第１ナット２３ｂを螺着して第１ナット２３ｂを締め付けることにより、第１梁材１３が、その短手方向で対向する両側面それぞれにＹ軸方向の両端に配置された柱材１１が食い込む形で柱材１１により挟持される。
【００２１】
また、第２結合部材２５は、柱材１１と第２梁材１５とを結合しており、柱材１１および第２梁材１５をＸ軸方向に貫通する金属製の第２ボルト２５ａと、第２ボルト２５ａの軸部に螺着された金属製の第２ナット２５ｂと、を有する。第２ボルト２５ａは、柱材１１および第２梁材１５それぞれに設けられた貫通孔が互いに連通するように柱材１１および第２梁材１５が配置された状態で各貫通孔に挿通される。そして、第２ボルト２５ａの軸部に第２ナット２５ｂを螺着して第２ナット２５ｂを締め付けることにより、第２梁材１５が、その短手方向で対向する両側面それぞれにＸ軸方向の両端に配置された柱材１１が食い込む形で柱材１１により挟持される。このようにして、第１梁材１３と柱材１１並びに第２梁材１５と柱材１１とが強固に結合される。なお、第１ナット２３ｂ、第２ナット２５ｂの締め付けは、トルクレンチやスパナ等を用いて行うことができる。そして、第１ナット２３ｂ、第２ナット２５ｂを、例えば５０Ｎｍ程度のトルクで締め付ければよい。
【００２２】
次に、本実施の形態に係る木造構造体１の復元力特性の評価試験を行った結果について説明する。この評価試験では、図３（Ａ）および（Ｂ）に示すように、柱材１１における第１梁材１３、第２梁材１５との結合部分から離間した部分に±Ｘ方向へ外力を加える。そして、このようにして、柱材１１における第１梁材１３、第２梁材１５との結合部分に外部モーメントを印加したときの柱材１１の中心軸Ｊ１の鉛直軸Ｊ０に対する傾きを計測することにより木造構造体１の強度を評価した。また、図４に示すような比較例に係る木造構造体９００１についても強度を評価し、実施の形態に係る木造構造体１の強度との比較を行った。比較例に係る木造構造体９００１は、第２梁材１５が１本だけである点が実施の形態に係る木造構造体１と相違する。
【００２３】
復元力特性の評価試験で得られた、柱材１１における第１梁材１３、第２梁材１５との結合部分に印加する外部モーメントの大きさと、外部モーメントが印加されたときの柱材１１の中心軸Ｊ１の鉛直軸Ｊ０に対する傾き角度θ１との関係を図５に示す。図５において、実線は比較例についての試験結果を示し、破線は実施の形態についての試験結果を示している。図５に示すように、例えば１ｋＮｍの外部モーメントが印加された場合、比較例に係る木造構造体９００１では、傾き角度が最大０．１８ｒａｄであるのに対して、本実施の形態に係る木造構造体１では、傾き角度が最大０．１２ｒａｄである。このように、本実施の形態に係る木造構造体１は、印加される外部モーメントが同じ場合、比較例に係る木造構造体９００１に比べて、傾き角度θ１が小さいことが判る。このことから、本実施の形態に係る木造構造体１は、比較例に係る木造構造体９００１に比べて柱材１１における第１梁材１３、第２梁材１５との結合部分の曲げ強度が高いことが判る。なお、図５における負側と正側の差は、最大振幅の差と構造精度の対称性の差によるものであり、正側は０．３５ｒａｄまで載荷しているが、負側は０．２ｒａｄまでの載荷である。０．２ｒａｄまでを比較すると、対称性の差にもより比較例に係る木造構造体９００１と本実施の形態に係る木造構造体１による高強度化はそれほど顕著ではないが、０．２ｒａｄ以上の大変形時に極めて大きな性能の差が生じる。本願発明は大振幅時に高強度を発揮するのが一つの特徴である。
【００２４】
本実施の形態に係る木造構造体１の場合、図３（Ａ）のＰ１１、Ｐ１２、Ｐ１３に示すように、−Ｘ方向への外力Ｆが印加された場合、２つの第２梁材１５のうちの−Ｚ方向側の第２梁材１５Ａの２つの角部がそれぞれ第１梁材１３Ａ、１３Ｂの側面に当接して食い込むとともに、＋Ｚ方向側の第２梁材１５Ｂの角部が第１梁材１３Ｂの側面に当接して食い込む。また、図３（Ｂ）のＰ２１、Ｐ２２、Ｐ２３に示すように、＋Ｘ方向への外力Ｆが印加された場合も、２つの第２梁材１５のうちの−Ｚ方向側の第２梁材１５Ａの２つの角部が第１梁材１３Ａ、１３Ｂの側面に食い込むとともに、＋Ｚ方向側の第２梁材１５Ｂの角部が第１梁材１３Ｂの側面に食い込む。これに対して、比較例に係る木造構造体９００１の場合、±Ｘ方向への外力が印加された場合、１つの第２梁材１５の角部の２箇所のみが第１梁材１３Ａの側面に当接して食い込む。このように、本実施の形態に係る木造構造体１は、第２梁材１５の角部が第１梁材１３の側面に当接して食い込むことにより外力に対する抗力が生じる箇所が３箇所であり、第２梁材１５の角部が第１梁材１３の側面に当接して食い込むことにより外力に対する抗力が生じる箇所が２箇所である比較例に係る木造構造体９００１に比べて、外力に対する抗力が増加する。このことが、前述の図５に示す評価試験の結果に反映されている。つまり、本実施の形態に係る木造構造体１は、比較例に係る木造構造体９００１に比べて、±Ｘ方向への外力が印加された場合の柱材１１の動きを規制する抗力が強い。
【００２５】
なお、前述の復元力特性の評価試験は、±Ｘ方向へ外力を加える場合について説明したが、±Ｙ方向へ外力を加える場合も同様に、木造構造体１では、第２梁材１５の角部が第１梁材１３の側面に当接して食い込むことにより外力に対する抗力が生じる箇所が３箇所であるのに対して、木造構造体９００１では、第２梁材１５の角部が第１梁材１３の側面に当接して食い込むことにより外力に対する抗力が生じる箇所が２箇所となる。このため、±Ｙ方向へ外力が加わる場合でも、本実施の形態に係る木造構造体１は、比較例に係る木造構造体９００１に比べて、±Ｙ方向への外力が印加された場合の柱材１１の動きを規制する抗力が強くなる。
【００２６】
以上説明したように、本実施の形態に係る木造構造体１によれば、第１梁材１３および第２梁材１５と柱材１１との結合部分にＸ軸方向へ外力が印加されると、２本の第２梁材１５の角部が、それぞれそれらの下側に重なる第１梁材１３に当接して食い込むことにより、外力に対する抗力が生じる。従って、この外力に対する抗力により柱材１１のＸ軸方向への動きが規制されるので、Ｘ軸方向へ印加される外力に対する強度が高まる。また、第１梁材１３および第２梁材１５と柱材１１との結合部分にＹ軸方向へ外力が印加されると、２本の第１梁材１３の角部が、それぞれそれらの上側に重なる第２梁材１５に当接して食い込むことにより、外力に対する抗力が生じる。従って、この外力に対する抗力により柱材１１のＹ軸方向への動きが規制されるので、Ｙ軸方向へ印加される外力に対する強度が高まる。
【００２７】
また、本実施の形態に係る木造構造体１では、４本の柱材１１が、角柱状であり、＋Ｚ方向から見て、２行２列の矩形格子状に配置されたものであり、第１梁材１３および第２梁材１５が、角柱状であり、単に重ねて配置されるものである。そして、第１結合部材２３、第２結合部材２５を挿通させるための孔を穿孔する程度の加工だけで良く、例えば切り欠き部を形成するような高度な加工を行う必要がない。
【００２８】
更に、本実施の形態に係る木造構造体１では、柱材１１、第１梁材１３および第２梁材１５がそれぞれ比較的細い角柱状の木材であっても柱材１１、第１梁材１３および第２梁材１５との結合部分の強度を確保できる。従って、柱材１１、第１梁材１３および第２梁材１５として、例えば間伐材のような比較的小径の木材から得られるものを使用することができる。例えば、通常の木造建築物用の木材としては使用できないような小径の木材を組み合わせて柱材１１、第１梁材１３および第２梁材１５として使用できる。従って、森林の環境への負荷低減に繋がるという利点がある。
【００２９】
また、本実施の形態に係る木造構造体１は、第１結合部材２３、第２結合部材２５を柱材１１、第１梁材１３および第２梁材１５に対して着脱することにより容易に木造構造体１を組み立ておよび解体を行うことができるので、柱材１１、第１梁材１３および第２梁材１５の繰り返し利用が可能となる。
【００３０】
更に、本実施の形態に係る木造構造体１では、第１結合部材２３が、柱材１１と第１梁材１３とをＹ軸方向に貫通する第１ボルト２３ａと、第１ボルト２３ａの軸部に螺着する第１ナット２３ｂと、を有する。また、第２結合部材２５が、柱材１１と第２梁材１５とをＸ軸方向に貫通する第２ボルト２５ａと、第２ボルト２５ａの軸部に螺着する第２ナット２５ｂと、を有する。これにより、第１ナット２３ｂ、第２ナット２５ｂを締め付けることにより、柱材１１、第１梁材１３および第２梁材１５の接合部分の強度を高めることができる。
【００３１】
（変形例）
以上、本発明の実施の形態について説明したが、本発明は前述の実施の形態によって限定されるものではない。例えば、図６（Ａ）に示す木造構造体２００１のように、９本の柱材１１が、＋Ｚ方向から見て、３行３列の格子状に配置されている構成であってもよい。或いは、図６（Ｂ）に示す木造構造体３００１のように、６本の柱材１１が、＋Ｚ方向から見て、２行３列の格子状に配置されている構成であってもよい。この場合、第１梁材１３は、その長手方向がＸ軸方向に一致した姿勢で、Ｙ軸方向に互いに平行に並ぶようにＹ軸方向で隣り合う柱材１１の間に２本挿入され、第２梁材１５は、その長手方向がＹ軸方向に一致した姿勢で、Ｘ軸方向に互いに平行に並ぶようにＸ軸方向で隣り合う柱材１１の間に２本ずつ挿入される。なお、柱材１１の数が前述の４本、６本、９本の構成に限定されるものではなく、柱材１１の数がＮ×Ｍ（Ｎ、Ｍは２以上の整数）本の構成であってもよい。
【００３２】
実施の形態では、２本の第１梁材１３がＹ軸方向で隣り合う柱材１１の間に挿入され、２本の第２梁材１５がＸ軸方向で隣り合う柱材１１の間に挿入される例について説明した。但し、第１梁材１３、第２梁材１５の数は、それぞれ２本に限定されるものではない。例えば図７に示す木造構造体４００１のように、３本の第１梁材１３と３本の第２梁材１５とが、Ｚ軸方向に交互に重なるように配置された構成であってもよい。ここで、３本の第１梁材１３のうちのＺ軸方向における下端に位置する第１梁材１３Ａを除く他の第１梁材１３Ｂ、１３Ｃは、Ｚ軸方向における両端に位置する第２梁材１５により挟持されている。また、３本の第２梁材１５のうちのＺ軸方向における上端に位置する第２梁材１５Ｃを除く他の第２梁材１５Ａ、１５Ｂは、Ｚ軸方向における両端に位置する第１梁材１３により挟持されている。
【００３３】
本構成によれば、実施の形態に係る木造構造体１に比べて、柱材１１、第１梁材１３および第２梁材１５の結合部分の強度が向上する。
【００３４】
実施の形態において、第１梁材１３と第２梁材１５とを直接結合する第３結合部材を備える構成であってもよい。例えば図８に示す木造構造体５００１のように、Ｚ軸方向に交互に積層された２本の第１梁材１３と２本の第２梁材１５とをＺ軸方向に貫通し、第１梁材１３と第２梁材１５とを結合する第３結合部材５０２７を更に備える構成であってもよい。第３結合部材５０２７は、第３ボルト５０２７ａと第３ボルト５０２７ａの軸部に螺着された第３ナット５０２７ｂとを有する。そして、第３ボルト５０２７ａが、２本の第１梁材１３と２本の第２梁材１５とをＺ軸方向に貫通している。
【００３５】
本構成によれば、第３結合部材５０２７により第１梁材１３と第２梁材１５とが直接結合されているので、柱材１１、第１梁材１３および第２梁材１５の結合部分の強度を高めることができる。
【００３６】
実施の形態では、柱材１１、第１梁材１３および第２梁材１５の断面形状がそれぞれ正方形である例について説明したが、柱材１１、第１梁材１３および第２梁材１５の断面形状は正方形に限定されない。例えば、柱材１１、第１梁材１３および第２梁材１５の断面形状が長方形状であってもよい。
【００３７】
実施の形態では、第１ナット２３ｂ、第２ナット２５ｂ、第１ボルト２３ａおよび第２ボルト２５ａが、金属製である例について説明したが、これらの材料は金属に限定されるものではなく、合成樹脂、炭素材料、セラミックスその他の材料であってもよい。また、実施の形態では、第１結合部材２３が、第１ナット２３ｂと第１ボルト２３ａとを有し、第２結合部材２５が、第２ナット２５ｂと第２ボルト２５ａとを有する例について説明した。但し、第１結合部材２３、第２結合部材２５の種類はこれに限定されるものではなく、例えばリベットであってもよい。
【００３８】
以上、本発明の実施の形態および変形例（なお書きに記載したものを含む。）について説明したが、本発明はこれらに限定されるものではない。本発明は、実施の形態及び変形例が適宜組み合わされたもの、それに適宜変更が加えられたものを含む。また、実施の形態に係る数値例はあくまで例示であってこの数値に限定されることを意図するものではない。
【産業上の利用可能性】
【００３９】
本発明は、小部屋ユニット、間仕切り等のインテリア家具から、防災用耐震ユニット、簡易住宅、仮設住宅、一般住宅等の木造建築物まで広く適用可能である。
【符号の説明】
【００４０】
１，２００１，３００１，４００１，５００１，９００１：木造構造体、１１：柱材、１３，１３Ａ，１３Ｂ，１３Ｃ：第１梁材、１５，１５Ａ，１５Ｂ，１５Ｃ：第２梁材、２３：第１結合部材、２３ａ，２５ａ，５０２７ａ：ボルト、２３ｂ，２５ｂ，５０２７ｂ：ナット、２５：第２結合部材、５０２７：第３結合部材、Ｊ０：鉛直軸、Ｊ１：中心軸
【図１】
2018193782.tif 000003
【図２】
2018193782.tif 000004
【図３】
2018193782.tif 000005
【図４】
2018193782.tif 000006
【図５】
2018193782.tif 000007
【図６】
2018193782.tif 000008
【図７】
2018193782.tif 000009
【図８】
2018193782.tif 000010